(57)【要約】【課題】  無用な作業労力を排し、能率的な作業を可能にするとともに、使い勝手、更には利便性を高め、加えて、実施の容易性及び低コスト性を高める。【解決手段】  コインＣａ…を積層した状態で収容可能となるように筒状に形成し、一端がコインＣａ…の収容口２ｉとなり、かつ他端がコインＣａ…の放出口２ｏとなる内筒本体部２を有するとともに、放出口２ｏの縁部における周方向所定間隔おきの複数位置からバネ部３ｓを介して径方向外方に所定角度Ｒで延設し、かつ先端から内方にストッパ爪３ｎ…を突設した複数の突出片３…を有する内筒部Ｐ１と、この内筒部Ｐ１をスライド可能に保持する筒状に形成した外筒本体部４を有する外筒部Ｐ２を備える。【選択図】  図１
2006113707.tif 000002
【特許請求の範囲】
【請求項１】
コインを積層した状態で収容可能となるように筒状に形成し、一端がコインの収容口となり、かつ他端がコインの放出口となる内筒本体部を有するとともに、前記放出口の縁部における周方向所定間隔おきの複数位置からバネ部を介して径方向外方に所定角度で延設し、かつ先端から内方にストッパ爪を突設した複数の突出片を有する内筒部と、この内筒部をスライド可能に保持する筒状に形成した外筒本体部を有する外筒部を備え、前記内筒部が上側位置に相対変位した際に前記突出片が前記外筒本体部に係合し、前記ストッパ爪が内側位置に変位するとともに、前記内筒部が下側位置に相対変位した際に前記外筒本体部に対する前記突出片の係合が解除され、前記ストッパ爪が外側位置に変位するように構成したことを特徴とするコイン払出装置用コイン供給器。
【請求項２】
前記内筒部は、前記内筒本体部における収容口の縁部に、径方向外方に突出した第一フランジ部を有することを特徴とする請求項１記載のコイン払出装置用コイン供給器。
【請求項３】
前記内筒部は、全体をバネ材により一体形成してなることを特徴とする請求項１又は２記載のコイン払出装置用コイン供給器。
【請求項４】
前記外筒部は、前記外筒本体部における一端側の縁部に、径方向外方に突出し、かつ前記第一フランジ部に対向する第二フランジ部を有することを特徴とする請求項１記載のコイン払出装置用コイン供給器。
【請求項５】
コインを積層した状態で収容可能となるように筒状に形成し、一端がコインの収容口となり、かつ他端がコインの放出口となる内筒本体部を有するとともに、前記放出口の縁部における周方向所定間隔おきの複数位置からバネ部を介して径方向外方に所定角度で延設し、かつ先端から内方にストッパ爪を突設した複数の突出片を有する内筒部と、この内筒部をスライド可能に保持する筒状に形成した外筒本体部を有する外筒部を備えるコイン供給器を使用し、予め、前記内筒部を上側位置に相対変位させ、前記突出片を前記外筒本体部に係合させることにより、前記ストッパ爪を内側位置に変位させ、前記内筒部にコインを収容するとともに、この後、前記内筒部を下側位置に相対変位させ、前記外筒本体部に対する前記突出片の係合を解除することにより、前記ストッパ爪を外側位置に変位させ、前記内筒部に収容したコインを前記放出口から放出させてコイン払出装置に供給することを特徴とするコイン払出装置用コイン供給方法。
【発明の詳細な説明】
【技術分野】
【０００１】
本発明は、銀行の窓口等に備えるコイン払出装置にコイン（硬貨）を供給する際に用いて好適なコイン払出装置用コイン供給器及びコイン供給方法に関する。
【背景技術】
【０００２】
一般に、銀行の窓口等においては、窓口業務を迅速かつ効率的に行うため、コイン払出装置を設置する場合が多い。この場合、コイン払出装置は、通常、テラーズマシンに接続し、テラーズマシンから付与されるコインの種類及び枚数に係わる指令情報に基づいて、顧客に支払うコインを自動で払出す機能を備えている。
【０００３】
従来、この種のコイン払出装置としては、特開平７−１１４６６６号公報で開示される硬貨払出装置が知られている。この硬貨払出装置は、一つの駆動モータと、この一つの駆動モータの動力を伝達する歯車伝達手段と、この歯車伝達手段から伝達された駆動力により第１のペイアウトカムを介し駆動される硬貨払出用の第１のペイアウトスライドと、歯車伝達手段の一部を構成する従動ギアの回転力により第２のペイアウトカムを介し駆動される硬貨払出用の第２のペイアウトスライドと、第２のペイアウトカムと従動ギアとの間に介在され、第２のペイアウトカムへの駆動力の伝達とその遮断とをソレノイドプランジャの駆動力に基づいて行うクラッチ手段とを備えて構成したものである。
【特許文献１】特開平７−１１４６６６号
【発明の開示】
【発明が解決しようとする課題】
【０００４】
しかし、上述した従来の硬貨払出装置（コイン払出装置）は、次のような問題点があった。
【０００５】
第一に、この種のコイン払出装置は、コインの種類毎にコインスタッカ部を備え、このコインスタッカ部にコインを積層した状態で収容しているが、コイン払出装置は、通常、机の上などに設置するため、コインスタッカ部にコインが無くなった際には、机の上面よりも高く、かつ固定された位置のコインスタッカ部に、手作業でコインを投入しなければならず、その作業が大変となり、作業性の低下による無用な労力を強いられるとともに、非能率的な作業を強いられる。
【０００６】
第二に、コイン払出装置におけるコインスタッカ部に、誤って他の種類のコインを投入したような場合、その取出し（処置）が大変になるなど、使い勝手、更には利便性に難がある。
【０００７】
本発明は、このような背景技術に存在する課題を解決したコイン払出装置用コイン供給器及びコイン供給方法の提供を目的とするものである。
【課題を解決するための手段】
【０００８】
本発明に係るコイン払出装置用コイン供給器１は、上述した課題を解決するため、コインＣａ…を積層した状態で収容可能となるように筒状に形成し、一端がコインＣａ…の収容口２ｉとなり、かつ他端がコインＣａ…の放出口２ｏとなる内筒本体部２を有するとともに、放出口２ｏの縁部における周方向所定間隔おきの複数位置からバネ部３ｓを介して径方向外方に所定角度Ｒで延設し、かつ先端から内方にストッパ爪３ｎ…を突設した複数の突出片３…を有する内筒部Ｐ１と、この内筒部Ｐ１をスライド可能に保持する筒状に形成した外筒本体部４を有する外筒部Ｐ２を備え、内筒部Ｐ１が上側位置Ｘｕに相対変位した際に突出片３…が外筒本体部４に係合し、ストッパ爪３ｎ…が内側位置Ｘｉに変位するとともに、内筒部Ｐ１が下側位置Ｘｄに相対変位した際に外筒本体部４に対する突出片３…の係合が解除され、ストッパ爪３ｎ…が外側位置Ｘｏに変位するように構成したことを特徴とする。
【０００９】
この場合、発明の好適な態様により、内筒部Ｐ１は、内筒本体部２における収容口２ｉの縁部に、径方向外方に突出した第一フランジ部１１を設けることができるとともに、外筒部Ｐ２は、外筒本体部４における一端側の縁部に、径方向外方に突出し、かつ第一フランジ部１１に対向する第二フランジ部１２を設けることができる。なお、内筒部Ｐ１は、全体をバネ材により一体形成することができる。
【００１０】
また、本発明に係るコイン払出装置用コイン供給方法は、上述したコイン供給器１を使用し、予め、内筒部Ｐ１を上側位置Ｘｕに相対変位させ、突出片３…を外筒本体部４に係合させることにより、ストッパ爪３ｎ…を内側位置Ｘｉに変位させ、内筒部Ｐ１にコインＣａ…を収容するとともに、この後、内筒部Ｐ１を下側位置Ｘｄに相対変位させ、外筒本体部４に対する突出片３…の係合を解除することにより、ストッパ爪３ｎ…を外側位置Ｘｏに変位させ、内筒部Ｐ１に収容したコインＣａ…を放出口２ｏから放出させてコイン払出装置Ｍに供給するようにしたことを特徴とする。
【発明の効果】
【００１１】
このような構成を有する本発明に係るコイン払出装置用コイン供給器１及びコイン供給方法によれば、次のような顕著な効果を奏する。
【００１２】
（１）  作業性向上により無用な作業労力を排することができるとともに、能率的な作業を行うことができ、もって、コイン払出装置Ｍにおけるコインスタッカ部に対し、目的のコインＣａ…を容易かつ速やかに供給することができる。
【００１３】
（２）  コイン払出装置Ｍにおけるコインスタッカ部に、誤って他の種類のコインを投入してしまう不具合を事前に回避できるなど、使い勝手、更には利便性に優れる。
【００１４】
（３）  少ない部品点数により比較的簡易に構成できるため、実施の容易性及び低コスト性に優れる。
【００１５】
（４）  好適な態様により、内筒部Ｐ１における収容口２ｉの縁部に、径方向外方に突出した第一フランジ部１１を設けるとともに、外筒部Ｐ２における一端側の縁部に、径方向外方に突出し、かつ第一フランジ部１１に対向する第二フランジ部１２を設ければ、より操作性を高めることができる。
【００１６】
（５）  好適な態様により、内筒部Ｐ１の全体をバネ材により一体形成すれば、更なる実施の容易性化及び低コスト化に寄与できる。
【発明を実施するための最良の形態】
【００１７】
次に、本発明に係る最良の実施形態を挙げ、図面に基づき詳細に説明する。
【００１８】
まず、本実施形態に係るコイン払出装置用コイン供給器１の構成について、図１〜図４を参照して説明する。
【００１９】
コイン供給器１は、図２に示すように、内筒部Ｐ１及び外筒部Ｐ２を備える。内筒部Ｐ１は、全体をバネ性の有する金属或いはプラスチック等のバネ材により一体形成する。内筒部Ｐ１は、コインＣａ…を積層した状態で収容可能となるように筒状に形成し、一端がコインＣａ…の収容口２ｉとなり、かつ他端がコインＣａ…の放出口２ｏとなる内筒本体部２を有する。そして、内筒本体部２における収容口２ｉの縁部には、第一フランジ部１１を設けるとともに、放出口２ｏの縁部には、複数（例示は四つ）の突出片３…を設ける。第一フランジ部１１は、収容口２ｉの縁部から径方向外方にリング状に突出するとともに、各突出片３…は、放出口２ｏの縁部における周方向所定間隔おきの複数位置から径方向外方に所定角度Ｒで延設する（図１参照）。
【００２０】
また、各突出片３…は、矩形状に形成し、突出片３…と放出口２ｏの縁部間には、両側から切込を形成することにより、幅が狭くなるバネ部３ｓを設ける。これにより、突出片３…と放出口２ｏは、このバネ部３ｓを介して連結される。さらに、各突出片３…の先端には、内方へ直角に折曲した形状のストッパ爪３ｎ…を突設する。この結果、各突出片３…（ストッパ爪３ｎ…）は、図１に示すように、外側位置Ｘｏと内側位置Ｘｉ間を適度な弾性により変位可能となる。なお、自然状態における各突出片３…は、上述したように、放出口２ｏの縁部から径方向外方に所定角度Ｒで延設し、各ストッパ爪３ｎ…は外側位置Ｘｏに位置する。この場合、所定角度Ｒは、各ストッパ爪３ｎ…の先端により囲まれる空間が、余裕をもってコインＣａ…を通過させることができるように選定する。このような各突出片３…（ストッパ爪３ｎ…）は、内筒本体部２に対して、必ずしも一体形成することを要しないが、一体形成することにより、実施の容易化及び低コスト化に寄与できる利点がある。
【００２１】
他方、外筒部Ｐ２は、全体をバネ性の有しない金属或いはプラスチック等の剛性素材により一体形成する。外筒部Ｐ２は、内筒部Ｐ１をスライド可能に保持する筒状に形成した外筒本体部４を有する。そして、外筒本体部４における一端側の縁部には、第二フランジ部１２を設ける。第二フランジ部１２は、外筒本体部４の縁部から径方向外方にリング状に突出し、第一フランジ部１１に対向する。
【００２２】
外筒部Ｐ２の軸方向長さは、内筒部Ｐ１が上側位置Ｘｕに相対変位した際に、ストッパ爪３ｎ…が外筒本体部４の他端側に係合することにより、図１に示す内側位置Ｘｉに変位するとともに、内筒部Ｐ１が下側位置Ｘｄに相対変位した際に、外筒本体部４の他端側に対するストッパ爪３ｎ…の係合が解除されることにより、ストッパ爪３ｎ…が外側位置Ｘｏに変位するように選定する。これにより、ストッパ爪３ｎ…が内側位置Ｘｉに変位した際は、内筒部Ｐ１に収容したコインＣａ…に対して係止可能になるとともに、ストッパ爪３ｎ…が外側位置Ｘｏに変位した際は、コインＣａ…に対する係止が解除される。
【００２３】
次に、本実施形態に係るコイン供給方法を含むコイン供給器１の使用方法について、図１〜図４及び図６を参照しつつ図５に示すフローチャートに従って説明する。
【００２４】
まず、コイン供給器１は、図２に示すように、内筒部Ｐ１を外筒部Ｐ２に対して矢印Ｆｓ方向に挿入して使用する。内筒部Ｐ１を外筒部Ｐ２に挿入する際は、各突出片３…（ストッパ片３ｎ…）が内側位置Ｘｉに弾性変位するとともに、第一フランジ部１１が第二フランジ部１２に対して当接する位置（下側位置Ｘｄ）まで挿入した際は、各突出片３…（ストッパ片３ｎ…）が外筒部Ｐ２から抜け出して外側位置Ｘｏに弾性復帰する。
【００２５】
一方、コイン供給器１を使用する際は、図１の実線位置及び図４に示すように、内筒部Ｐ１を外筒部Ｐ２に対して上側位置Ｘｕへ相対変位させる（ステップＳ１）。これにより、各突出片３…（ストッパ片３ｎ…）は、外筒部Ｐ２における外筒本体部４の他端側に係合し、内側位置Ｘｉに変位することにより、外筒本体部４の内部に収容される（ステップＳ２）。したがって、内筒部Ｐ１の上側位置Ｘｕとは、各突出片３…が外筒本体部４の内部に収容される位置である。なお、内筒部Ｐ１を外筒部Ｐ２に対して上側位置Ｘｕへ変位させたり後述する下側位置Ｘｄへ変位させる際は、内筒部Ｐ１に設けた第一フランジ部１１と外筒部Ｐ２に設けた第二フランジ部１２を利用することができ、このような第一フランジ部１１と第二フランジ部１２を設けることにより操作性を高めることができる。
【００２６】
そして、この状態で、内筒本体部２の収容口２ｉから内筒部Ｐ１に対してコインＣａ…を収容する（ステップＳ３）。この場合、最初に収容したコインＣａは、内側位置Ｘｉに変位している各ストッパ爪３ｎ…に係止するため、以後、順次コインＣａ…を収容することにより積層された状態で内筒部Ｐ１内に収容される。この状態を図４に示す。
【００２７】
他方、内筒部２に所定数量のコインＣａ…を収容したなら、図６に示すように、コイン供給器１をコイン払出装置Ｍに対する供給位置Ｘｓに位置させる（ステップＳ４，Ｓ５）。なお、例示のコイン払出装置Ｍは、ケーシング２０を備え、このケーシング２０の前面上側に、開閉式の透明カバー２１を有するとともに、この透明カバー２１の内側に、コイン装填機構２２を配設し、さらに、ケーシング２０の内部には、図に現れない排出処理機構を備える。また、ケーシング２０の前面下部には、コインＣａ…の排出口２３を有するとともに、排出口２３から排出されたコインＣａ…を受取るコイントレイを有する。これにより、透明カバー２１を開閉してコイン装填機構２２にコインＣａ…を収容することができる。コイン装填機構２２は、積層した複数のコインＣａ…を収容可能に構成し、かつコインＣａ…，Ｃｂ…，Ｃｃ…の種類毎に設けた複数（一般的には一又は二以上）のコインスタッカ部２２ａ，２２ｂ，２２ｃ…を備える。なお、各コインスタッカ部２２ａ，２２ｂ…は横方向に順次配列されている。
【００２８】
したがって、供給位置Ｘｓは、各コインスタッカ部２２ａ，２２ｂ，２２ｃ…の上端付近となり、例示の場合、コイン供給器１（内筒部Ｐ１）の放出口２ｏを、コインスタッカ部２２ａの上端付近に位置させる。コイン供給器１を目的の供給位置Ｘｓに位置させたなら、内筒部Ｐ１を外筒部Ｐ２に対して押込み、下側位置Ｘｄに相対変位させる（ステップＳ６）。これにより、図１に仮想線で示すように、各突出片３…は、外筒本体部４の他端側から外部に抜け出るため、外筒部Ｐ２に対する係合が解除され、各突出片３…は、径方向外方に弾性復帰する。即ち、各ストッパ爪３ｎ…は外側位置Ｘｏに変位する（ステップＳ７）。
【００２９】
この結果、各ストッパ爪３ｎ…と内筒部Ｐ１に収容されたコインＣａ…との係止も解除され、コインＣａ…は、図６に示すように、内筒本体部２の放出口２ｏから外部下方に落下するとともに（ステップＳ８）、そのままコインスタッカ部２２ａの内部に供給される（ステップＳ９）。そして、コイン供給器１の全コインＣａ…がコインスタッカ部２２ａに供給されたなら、コイン払出装置Ｍに対するコインＣａ…の供給は終了する（ステップＳ１０）。
【００３０】
このように、本実施形態に係るコイン供給器１（コイン供給方法）によれば、作業性向上により無用な作業労力を排することができるとともに、能率的な作業を行うことができ、もって、コイン払出装置Ｍにおけるコインスタッカ部２２ａ…に対し、目的のコインＣａ…を容易かつ速やかに供給することができる。また、コイン払出装置Ｍにおけるコインスタッカ部２２ａ…に、誤って他の種類のコインＣｂ…を投入してしまう不具合を事前に回避できるなど、使い勝手、更には利便性に優れる。しかも、少ない部品点数により比較的簡易に構成できるため、実施の容易性及び低コスト性に優れる利点がある。
【００３１】
以上、最良の実施形態について詳細に説明したが、本発明は、このような実施形態に限定されるものではなく、細部の構成，形状，素材，数量等において、本発明の要旨を逸脱しない範囲で、任意に変更，追加，削除することができる。例えば、コインＣａ…は、硬貨のみならず、硬貨以外の各種コインを適用できる。また、コイン払出装置Ｍは、専用装置を例示したが、その他、自動販売機等の各種機器に組込まれた各種用途のコイン払出装置にも同様に利用できる。
【図面の簡単な説明】
【００３２】
【図１】本発明の最良の実施形態に係るコイン供給器の正面断面図、
【図２】同コイン供給器の分解斜視図、
【図３】同コイン供給器の底面図、
【図４】同コイン供給器の内筒部を上側位置に変位させた状態の使用方法を説明するための斜視図、
【図５】同コイン供給器の使用方法を示すフローチャート、
【図６】同コイン供給器の内筒部を下側位置に変位させた状態の使用方法を説明するための斜視図、
【符号の説明】
【００３３】
１      コイン供給器
２      内筒本体部
２ｉ    収容口
２ｏ    放出口
３…    突出片
３ｓ    バネ部
３ｎ…  ストッパ爪
４      外筒本体部
１１    第一フランジ部
１２    第二フランジ部
Ｐ１    内筒部
Ｐ２    外筒部
Ｍ      コイン払出装置
Ｃａ…  コイン
Ｒ      所定角度
Ｘｕ    上側位置
Ｘｄ    下側位置
Ｘｉ    内側位置
Ｘｏ    外側位置
【図１】
2006113707.tif 000003
【図２】
2006113707.tif 000004
【図３】
2006113707.tif 000005
【図４】
2006113707.tif 000006
【図５】
2006113707.tif 000007
【図６】
2006113707.tif 000008